(57)【要約】      （修正有）【課題】傘乾燥装置において、家庭などの設置スペースが少ない場所でも設置可能とすることである。【解決手段】濡れた傘８を乾燥させる傘乾燥装置１０であって、略円筒形状を有し、外径側から挿入された傘８を中心側に向けて渦巻き状に移動させる案内溝１２ｃを有する本体部１２と、本体部１２の案内溝１２ｃ内を、渦巻き状に移動する傘８に、温風が当たるように送風する送風部１４と、を備えることを特徴とする。【選択図】図１
2018084372.tif 000002
【特許請求の範囲】
【請求項１】
濡れた傘を乾燥させる傘乾燥装置であって、
略円筒形状を有し、外径側から挿入された前記傘を中心側に向けて渦巻き状に移動させる案内溝を有する本体部と、
前記本体部内を介して、渦巻き状に移動する前記傘に風が当たるように送風する送風部と、
を備えることを特徴とする傘乾燥装置。
【請求項２】
請求項１に記載の傘乾燥装置において、
前記本体部は、一枚の板状部材が渦巻き状に曲げられて形成されており、前記案内溝に向けられた複数の貫通孔を有しており、
前記送風部は、前記本体部の下部に設けられ、外部から吸収した空気についてヒーターを介して生成した温風を前記本体部の内部に設けられた空洞部を通過させて前記複数の貫通孔から排出させることを特徴とする傘乾燥装置。
【請求項３】
請求項１または請求項２に記載の傘乾燥装置において、
前記案内溝に向けて紫外線を照射する紫外線照射部を備えることを特徴とする傘乾燥装置。
【請求項４】
請求項１から請求項３のいずれか１項に記載の傘乾燥装置において、
前記空洞部は、下部から上部に向けて幅が狭くなるように形成されていることを特徴とする傘乾燥装置。
【発明の詳細な説明】
【技術分野】
【０００１】
本発明は、傘乾燥装置に関する。
【背景技術】
【０００２】
従来、雨天時に用いられた濡れた傘を施設等に持ち込む場合にビニール袋に収納して持ち込むような対応がなされてきた。このような場合に、使い終えたビニール袋の処置に困ることがある。また、使用済みのビニール袋を収集するごみ箱等を用意していることが多いが、ごみ箱にきちんと捨てない人等がいて、使用済みのビニール袋が散乱するなど、美観の観点からも好ましいものではなかった。
【０００３】
そこで、例えば、特許文献１では、乾燥機本体に傘、雨カッパ等の雨具を移動させるための通路を設け、この通路の壁部に温風吹出装置を設け、例えば傘が通路を移動するときには、温風吹出装置から温風が吹出されて、雨露が吹き飛ばされる構成が開示されている。
【先行技術文献】
【特許文献】
【０００４】
【特許文献１】特開平８−１５９６５６号公報
【発明の概要】
【発明が解決しようとする課題】
【０００５】
特許文献１の構成からなる装置をデパートの入り口や駅の改札等に設けることにより傘を乾燥させることが出来るが、この構成からなる装置は、人が歩きながら傘を乾燥させることを想定しているため、移動方向に所定の長さが必要となり、結構な広さの設置スペースが必要となる。
【０００６】
本発明の目的は、家庭などの設置スペースが少ない場所でも設置可能な傘乾燥装置を提供することである。
【課題を解決するための手段】
【０００７】
本発明に係る傘乾燥装置は、濡れた傘を乾燥させる傘乾燥装置であって、略円筒形状を有し、外径側から挿入された前記傘を中心側に向けて渦巻き状に移動させる案内溝を有する本体部と、前記本体部内を介して、渦巻き状に移動する前記傘に風が当たるように送風する送風部と、を備えることを特徴とする。
【０００８】
また、本発明に係る傘乾燥装置において、前記本体部は、一枚の板状部材が渦巻き状に曲げられて形成されており、前記案内溝に向けられた複数の貫通孔を有しており、前記送風部は、前記本体部の下部に設けられ、外部から吸収した空気についてヒーターを介して生成した温風を前記本体部の内部に設けられた空洞部を通過させて前記複数の貫通孔から排出させることが好ましい。
【０００９】
また、本発明に係る傘乾燥装置において、前記案内溝に向けて紫外線を照射する紫外線照射部を備えることが好ましい。
【００１０】
また、本発明に係る傘乾燥装置において、前記空洞部は、下部から上部に向けて幅が狭くなるように形成されていることが好ましい。
【発明の効果】
【００１１】
本発明によれば、略円筒形状を有し、外径側から挿入された傘を中心側に向けて渦巻き状に移動させる案内溝を有している。このように、渦巻き状に移動させることにより、距離を確保することができるため、全体として省スペースにすることができる。
【図面の簡単な説明】
【００１２】
【図１】本発明に係る実施形態の傘乾燥装置を示す図である。
【図２】本発明に係る実施形態の傘乾燥装置において、送風部が作動したときの空気の流れを示す図である。
【図３】本発明に係る実施形態の傘乾燥装置の変形例を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、傘乾燥装置１０を示す図であり、図１（ａ）は、傘乾燥装置１０の斜視図であり、図１（ｂ）は、図１（ａ）のＡ−Ａ線断面図である。図２（ａ）は、傘乾燥装置１０において、送風部１４が作動したときの空気の流れを示す図であり、図２（ｂ）は、送風部１４により送風された空気の流れと傘８の移動方向を示す図であり、図２（ｃ）は、平面図で示された傘８に温風が吹き付けている様子を示す図である。
【００１５】
傘乾燥装置１０は、一般家庭の住宅の玄関等、商業施設等に比べて狭いスペースの場所にも設置することが出来、雨に濡れた傘を乾燥させることができる装置である。傘乾燥装置１０は、本体部１２と送風部１４と紫外線照射部１６とを備える。
【００１６】
本体部１２は、略円筒形状を有し、外径側から挿入された傘８を中心側に向けて渦巻き状に移動させる案内溝１２ｃを有する。渦巻きの巻き数は、設置スペースの大きさに応じて変更することが好適であるが、ここでは、巻き数が約２回であるものとして説明する。
【００１７】
渦巻き状に曲げられた本体部１２は、図１に示されるように、平面視でほぼ２つの円を構成するように曲げられているが、２つの円に限定されず、適宜増減させることができる。案内溝１２ｃの溝幅は、傘を移動させるのに適したものであればよい。例えば、本体部１２の外径側から傘８を挿入する際の溝ｄ１の幅は、２０ｃｍであり、中央部に形成される略円柱状の空間部の溝幅ｄ２は４０ｃｍに設定することが好適である。
【００１８】
本体部１２の高さｈは、成人男性用の傘８が挿入可能な高さに設定されていることが好ましく、例えば、７０ｃｍに設定することが好適である。ここで、傘８は親骨と受け骨が閉じられた状態で、かつ、生地部分は閉じない状態で挿入されることを想定して、溝幅ｄ１，ｄ２が設定されている。
【００１９】
本体部１２は、一枚の板状部材を渦巻き状に曲げ加工することにより形成されている。また、本体部１２の厚みは下部から上部に向けて厚みが小さくなるように形成されている。本体部１２の厚みは、適宜設定することが可能であるが、ここでは上部の厚みが２ｃｍである場合に、下部の厚みが６ｃｍである。
【００２０】
本体部１２は、適度な強度と耐熱性を有する材質で構成することが好ましく、例えば、ステンレスによって構成することが好ましい。本体部１２の厚みは、上述したように、下部から上部に向けて幅狭になるように設定されているが、本体部１２の内部は送風部１４から送られてきた風を通る空洞が形成されており、その空洞のうち上部ｔ１の幅が１ｃｍであり、下部ｔ２の幅が５ｃｍであり、図１（ｂ）に示される中央部ｔ３の幅が８ｃｍである。
【００２１】
本体部１２の内側側面には、所定の間隔をおいて複数の貫通孔１２ａが形成されている。複数の貫通孔の直径は形成する孔数により適宜変更されるが、ここでは５ｍｍであるものとして説明する。複数の貫通孔１２ａは、所定の間隔を空けて、整列配置されている。横方向と縦方向の間隔は、例えば、３ｃｍ〜５ｃｍに設定することが好適である。複数の貫通孔１２ａは、図２（ａ）で示されるように、底面側に沿う方向で、かつ、図２（ｂ）で示されるように、壁面に対して傘８の進行方向に沿う方向に温風が吹くように形成されている。本体部１２を一枚の板状に戻した場合に、各貫通孔１２ａから排出される温風は、平面視で約１２０°の方向で、かつ、側面視でも約１２０°の方向、すなわち、右斜め下方向に吹き付けられる。一般的に、傘８の巻き方向は、左方向に巻かれているため、このように複数の貫通孔１２ａから排出されることで、図２（ｃ）に示されるように、傘の生地部分の襞の内部まで温風を送り込むことが出来る。
【００２２】
送風部１４は、本体部１２内を介して、渦巻き状に移動する傘に風が当たるように送風する。送風部１４は、略円柱形状のケース本体１４ａと、ケース内に収納される縦長の細長い板状の羽根が筒状にとりつけられているシロッコファン１４ｂと、シロッコファン１４ｂを駆動するモーター１４ｃと、ケース本体１４ａの外部から空気を取り込むための吸引口１４ｄと、シロッコファン１４ｂから排出された空気を温風に変換するヒーター１４ｅとを備える。
【００２３】
ケース本体１４ａは、本体部１２の底面積よりも若干大きい上面を有する略円柱状のケースである。ケース本体１４ａは、本体部１２の下部に設置されて、傘乾燥装置１０の土台としても機能する。ケース本体１４ａは、適度な強度と耐熱性を有する材質で構成することが好ましく、例えば、ステンレスによって構成することができる。ケース本体１４ａの高さは、適宜設定することが可能であるが、ここでは２０ｃｍであるものとして説明する。
【００２４】
シロッコファン１４ｂは、ケース本体１４ａの内部に設けられ、吸引口１４ｄから取り込まれた空気を上部に排出し、ヒーター１４ｅを介して温風を生成して、本体部１２の空洞部へ流入させる。シロッコファン１４ｂは、縦長の細長い板状の羽根が筒状にとりつけられて略円筒形状を有している。
【００２５】
モーター１４ｃは、ケース本体１４ａの内部に設けられ、図示しない電源から供給される電力により回転し、その回転力により、シロッコファン１４ｂを駆動する機能を有する。なお、ここでは、シロッコファン１４ｂとモーター１４ｃと別部材であるものとして説明するが、シロッコファン１４ｂにモーター１４ｃを内蔵させてもよい。
【００２６】
吸引口１４ｄは、ケース本体１４ａの側面において周方向に沿って所定の間隔をあけて形成される複数のスリットである。スリット幅は、適宜設定することができるが、例えば、５ｍｍ〜１０ｍｍ程度に設定することができる。スリットの高さは、ケース本体１４ａの高さが２０ｃｍのときは、１０ｃｍ〜２０ｃｍに設定することが好ましい。
【００２７】
ヒーター１４ｅは、シロッコファン１４ｂから排出される空気の排出経路上に設けられる電熱線を含んで構成されている。ヒーター１４ｅは、図示しない電源から電力が供給されて駆動する。ヒーター１４ｅは、シロッコファン１４ｂの上部に設けられ、シロッコファン１４ｂと同様に略円筒形状を有している。
【００２８】
紫外線照射部１６は、本体部１２の内側面において、中央部に形成される円筒に所定の間隔を置いて形成される。紫外線照射部１６は、図示しない電源から電力が供給されて作動し、細長い棒状形状を有する紫外線ランプを含んで構成される。ここでは、３つの紫外線照射部１６が配置されるものとして説明する。
【００２９】
続いて、上記構成の傘乾燥装置１０の作用について説明する。雨に濡れた傘を乾燥しようとする利用者は、傘８を親骨と受け骨が閉じた状態にし、かつ、生地部分を閉じない状態のまま、傘乾燥装置１０の外径側から図２（ｂ）の矢印Ｂに示されるように移動させる。このとき、利用者８が本体部１２の外径側から中心部に向けて渦を巻くように傘８を移動させる。
【００３０】
この際に、モーター１４ｃの回転により駆動されるシロッコファン１４ｂから上部に向けて排出された空気は、ヒーターｅを通過することで温められる。この温風が図２（ａ）に示されるように本体部１２内の空洞部に流入して上部までに流通し、複数の貫通孔１２ａから温風が排出される。
【００３１】
複数の貫通孔１２ａから排出された温風が移動している傘８に当たって、濡れた傘８を乾燥する。ここで、傘８は生地部分を閉じない状態で移動させているため、生地部分の全面に当たりやすくなっており、さらに、渦巻き状に移動させることで、様々な角度から生地部分に温風を当てるため、移動させずに傘を乾燥させる場合に比べて、効率よく乾燥させることができる利点がある。また、傘乾燥装置１０の複数の貫通孔１２ａは、右斜め下方向に向かって温風を吹き出すような方向に形成されているため、図２（ｂ）に示される平面図の傘８の生地部分の襞の内部まで風を吹き付けて、さらに、重力方向に沿って雨滴を落とすことができるため、効率よく短時間で乾燥することができるという利点がある。そして、右斜め下方向に風が吹くことで、案内溝１２ｃの開口部や本体の上面側から雨が排出してしまうことを抑制することもできる。
【００３２】
また、本体部１２内の空洞部は、下部ｔ２よりも上部ｔ１の方が幅狭になっているため、下部側に配置されたシロッコファン１４ｂからの距離が遠い上部においても風圧を上げることができるため、上部から下部ともにほぼ同じ風圧、すなわち、適度な強さを有する風圧で温風を排出することができる効果がある。
【００３３】
また、渦巻き状に移動した傘８を中央部まで移動させる途中で紫外線照射部１６の紫外線ランプにより紫外線が照射されて抗菌を行うことができる。これにより、雨水が付着して万一菌が繁殖した場合にも殺菌できるため、傘を乾燥させるだけでなく、傘を清潔にすることもできるメリットがある。
【００３４】
最後に、所定の時間を経過させた後に、本体部１２の中央部から傘８を上方に持ち上げて引き出すことで乾燥を終了させる。このように、傘乾燥装置１０によれば、濡れた傘８を短時間で効率良く乾燥させることができるとともに、渦巻き状に移動させて乾燥させるため、従来の特許文献１の構成に比べて省スペースにすることができる。
【００３５】
なお、傘乾燥装置１０によれば、渦巻きの巻き数は約２回であるものとして説明するが、図３において平面図で示される傘乾燥装置１１のように、渦巻きの巻き数を増やすことで移動距離をさらに確保することができる。
【００３６】
また、モーター１４ｃ等に電力を供給する電源は、操作スイッチを操作することにより、電源のオンオフを切り替えてもよいが、発光素子や受光素子を用い、傘８が近づいたことを検知して電源のオンオフを切り替えてもよい。例えば、本体部１２の案内溝１２ｃの外径側に一対の発光素子と受光素子を設け、傘８が光を遮断した際に電源をオンにし、また中央部にも一対の発光素子と受光素子を設け、傘８が光を遮断した後に再度受光した際に中央部から傘８が持ち上げられたと判断して電源をオフするように構成することも好適である。
【符号の説明】
【００３７】
８  傘、１０，１１  傘乾燥装置、１２  本体部、１２ａ  貫通孔、１２ｃ  案内溝、１４  送風部、１４  案内溝、１４ａ  ケース本体、１４ｂ  シロッコファン、１４ｃ  モーター、１４ｄ  吸引口、１４ｅ  ヒーター、１６  紫外線照射部。
【図１】
2018084372.tif 000003
【図２】
2018084372.tif 000004
【図３】
2018084372.tif 000005
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
濡れた傘を乾燥させる傘乾燥装置であって、
略円筒形状を有し、外径側から挿入された前記傘を中心側に向けて渦巻き状に移動させる案内溝を有する本体部と、
前記本体部内を介して、渦巻き状に移動する前記傘に風が当たるように送風する送風部と、
を備え、
前記本体部は、一枚の板状部材が渦巻き状に曲げられて形成されており、前記案内溝に向けられた複数の貫通孔を有しており、
前記送風部は、前記本体部の下部に設けられ、外部から吸収した空気についてヒーターを介して生成した温風を前記本体部の内部に設けられた空洞部を通過させて前記複数の貫通孔から排出させ、
前記空洞部は、下部から上部に向けて幅が狭くなるように形成されていることを特徴とする傘乾燥装置。
【請求項２】
請求項１に記載の傘乾燥装置において、
前記案内溝に向けて紫外線を照射する紫外線照射部を備えることを特徴とする傘乾燥装置。
【手続補正２】
【補正対象書類名】明細書
【補正対象項目名】０００７
【補正方法】変更
【補正の内容】
【０００７】
本発明に係る傘乾燥装置は、濡れた傘を乾燥させる傘乾燥装置であって、略円筒形状を有し、外径側から挿入された前記傘を中心側に向けて渦巻き状に移動させる案内溝を有する本体部と、前記本体部内を介して、渦巻き状に移動する前記傘に風が当たるように送風する送風部と、を備え、前記本体部は、一枚の板状部材が渦巻き状に曲げられて形成されており、前記案内溝に向けられた複数の貫通孔を有しており、前記送風部は、前記本体部の下部に設けられ、外部から吸収した空気についてヒーターを介して生成した温風を前記本体部の内部に設けられた空洞部を通過させて前記複数の貫通孔から排出させ、前記空洞部は、下部から上部に向けて幅が狭くなるように形成されていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】削除
【補正の内容】